(57)【要約】【課題】  ストロボ撮影の結果、赤目現象が生じている画像を補正によって、撮影した人または動物本来の目の色を再現できるようにすることを目的とする。【解決手段】  被写体の目の色を含む情報を取得し、印刷したい画像データに赤目現象が生じていた場合に、前記被写体の目の色を含む情報を用いて赤目を補正するようにすることにより、撮影した画像をより自然に近い目の色で印刷できるようにする。【選択図】  図１
2006332879.tif 000002
【特許請求の範囲】
【請求項１】
撮影された被写体の光学像から画像信号を生成する撮像手段を有する撮像装置であって、
前記撮像手段によって生成された画像信号から前記被写体の目の色を含む情報と撮像データとを取得する情報取得手段と、
前記情報取得手段によって取得された被写体の目の色を含む情報と撮像データとをデジタル変換する変換手段と、
前記変換手段によって変換された被写体の目の色を含む情報を用いて、前記撮像データを赤目補正する赤目補正手段とを有することを特徴とする撮像装置。
【請求項２】
撮像開始指示を示す全押し状態と撮像開始予告を示す半押し状態とに操作可能なシャッターボタンと、
前記シャッターボタンが半押し状態においてストロボの予備発光を行い、全押し状態において本発光を行うストロボ発光手段とを有し、
前記撮像手段は、前記シャッターボタンが全押し状態で通常の撮影を行い、半押し状態において前記被写体の目の色を含む情報を取得する撮影を行うことを特徴とする請求項１に記載の撮像装置。
【請求項３】
前記撮像手段は、前記予備発光時に前記被写体の撮像を行って赤目補正用信号を生成し、
前記変換手段は、前記赤目補正用信号を赤目補正用画像データに変換することを特徴とする請求項１または２に記載の撮像装置。
【請求項４】
前記変換手段によって変換された撮像データまたは赤目補正用画像データを表示部に表示する表示手段と、
前記表示手段によって表示されている赤目補正用画像データまたは撮像データの目を含む領域を指定する領域指定手段と、を有し、
前記赤目補正手段は、前記撮像データにおいて前記領域指定手段により指定された赤目周辺領域に含まれる所定の色を検知することにより赤目部分を認識し、前記赤目修正用画像データにおいて指定された目を含む領域と前記赤目周辺領域とを比較して所定の色に修正することを特徴とする請求項１〜３の何れか１項に記載の撮像装置。
【請求項５】
前記変換手段によって変換された撮像データまたは赤目補正用画像データを所定の画像圧縮フォーマットで圧縮する圧縮手段と、
前記圧縮手段によって圧縮された撮像データまたは赤目補正用画像データを内蔵している記憶媒体または着脱可能な記憶媒体に記憶するデータ記憶手段とを有することを特徴とする請求項１〜４の何れか１項に記載の撮像装置。
【請求項６】
前記撮像データと、前記赤目補正用画像データと、前記赤目補正手段によって補正された補正済み画像データとのうち、少なくとも１つをプリント出力可能なプリンタ装置に出力する画像データ出力手段を有することを特徴とする請求項１〜５の何れか１項に記載の撮像装置。
【請求項７】
画像データをプリント用データに変換し、前記プリント用データを記録用紙にプリント出力するプリンタ装置であって、
前記画像データとなる被写体の目の色を含む情報と前記被写体が撮像された撮像データとを前記被写体を撮像した撮像装置から入力する画像データ入力手段と、
前記画像データ入力手段によって入力された被写体の目の色を含む情報を用いて前記撮像データを赤目補正する赤目補正手段とを有することを特徴とするプリンタ装置。
【請求項８】
前記請求項１〜６の何れか１項に記載の撮像装置と、前記請求項７に記載のプリンタ装置とを有することを特徴とするプリントシステム。
【請求項９】
撮影された被写体の光学像から画像信号を生成する撮像工程を有する撮像装置の制御方法であって、
前記撮像工程によって生成された画像信号から前記被写体の目の色を含む情報と撮像データを取得する情報取得工程と、
前記情報取得工程によって取得された被写体の目の色を含む情報と撮像データとをデジタル変換する変換工程と、
前記変換工程によって変換された被写体の目の色を含む情報を用いて前記撮像データを赤目補正する赤目補正工程とを有することを特徴とする撮像装置の制御方法。
【請求項１０】
撮像開始指示を示す全押し状態と撮像開始予告を示す半押し状態とに操作可能なシャッターボタンと、
前記シャッターボタンが半押し状態においてストロボの予備発光を行い、全押し状態において本発光を行うストロボ発光工程とを有し、
前記撮像工程は、前記シャッターボタンが全押し状態で通常の撮影を行い、半押し状態において前記被写体の目の色を含む情報を取得する撮影を行うことを特徴とする請求項９に記載の撮像装置の制御方法。
【請求項１１】
前記撮像工程は、前記予備発光時に前記被写体の撮像を行って赤目補正用信号を生成し、
前記変換工程は、前記赤目補正用信号を赤目補正用画像データに変換することを特徴とする請求項９または１０に記載の撮像装置の制御方法。
【請求項１２】
前記変換工程によって変換された撮像データまたは赤目補正用画像データを表示部に表示する表示工程と、
前記表示工程によって表示されている赤目補正用画像データまたは撮像データの目を含む領域を指定する領域指定工程と、を有し、
前記赤目補正工程は、前記撮像データにおいて前記領域指定工程において指定された赤目周辺領域に含まれる所定の色を検知することにより赤目部分を認識し、前記赤目修正用画像データにおいて指定された目を含む領域と前記赤目周辺領域とを比較して所定の色に修正することを特徴とする請求項９〜１１の何れか１項に記載の撮像装置の制御方法。
【請求項１３】
前記変換工程によって変換された撮像データまたは赤目補正用画像データを所定の画像圧縮フォーマットで圧縮する圧縮工程と、
前記圧縮工程によって圧縮された撮像データまたは赤目補正用画像データを内蔵している記憶媒体または着脱可能な記憶媒体に記憶する記憶工程とを有することを特徴とする請求項９〜１２の何れか１項に記載の撮像装置の制御方法。
【請求項１４】
前記撮像データと、前記赤目補正用画像データと、前記赤目補正工程によって補正された補正済み画像データとのうち、少なくとも１つをプリント出力可能なプリンタ装置に出力する画像データ出力工程を有することを特徴とする請求項９〜１３の何れか１項に記載の撮像装置の制御方法。
【請求項１５】
画像データをプリント用データに変換し、前記プリント用データを記録用紙にプリント出力するプリンタ装置の制御方法であって、
前記画像データとなる被写体の目の色を含む情報と前記被写体が撮像された撮像データとを前記被写体を撮像した撮像装置から入力する画像データ入力工程と、
前記画像データ入力工程によって入力された被写体の目の色を含む情報を用いて前記撮像データを赤目補正する赤目補正工程とを有することを特徴とするプリンタ装置の制御方法。
【請求項１６】
撮影された被写体の光学像から画像信号を生成する撮像工程を有する撮像装置の制御方法をコンピュータに実行させるプログラムであって、
前記撮像工程によって生成された画像信号から前記被写体の目の色を含む情報と撮像データとを取得する情報取得工程と、
前記情報取得工程によって取得された被写体の目の色を含む情報と撮像データとをデジタル変換する変換工程と、
前記変換工程によって変換された被写体の目の色を含む情報を用いて前記撮像データを赤目補正する赤目補正工程とを有する撮像装置の制御方法をコンピュータに実行させることを特徴とするコンピュータプログラム。
【請求項１７】
画像データをプリント用データに変換し、前記プリント用データを記録用紙にプリント出力するプリンタ装置の制御方法をコンピュータに実行させるプログラムであって、
前記画像データとなる被写体の目の色を含む情報と前記被写体が撮像された撮像データとを前記被写体を撮像した撮像装置から入力する画像データ入力工程と、
前記画像データ入力工程によって入力された被写体の目の色を含む情報を用いて前記撮像データを赤目補正する赤目補正工程とを有するプリンタ装置の制御方法をコンピュータに実行させることを特徴とするコンピュータプログラム。
【請求項１８】
前記請求項１６または１７に記載のコンピュータプログラムを記録したことを特徴とするコンピュータ読み取り可能な記録媒体。
【発明の詳細な説明】
【技術分野】
【０００１】
本発明は撮像装置、プリンタ装置、撮像装置の制御方法、プリンタ装置の制御方法、コンピュータプログラム、記録媒体に関し、特にストロボ撮影されることによって赤目が生じた画像を補正するために用いて好適な技術に関するものである。
【背景技術】
【０００２】
従来、デジタルカメラなどでストロボ撮影を行った場合に、人または動物の瞳孔部分が赤く撮影される赤目現象が生じる場合がある。この赤目現象の防止技術として、ストロボを本発光させる前に、ストロボをプリ発光（予備発光）させるように構成し、プリ発光によって瞳孔を狭くさせて赤目現象を生じにくくする方法がある。しかしながら、前記防止技術を使ってストロボ撮影を行ったにも関わらず、赤目現象が生じる場合がある。
【０００３】
一方、このようなストロボ撮影後に赤目現象が生じた場合、撮影した画像を記録した後にユーザの要求により画像の赤目周辺部を指定して、彩度を下げるまたは色を置換することにより、赤目に補正をかける赤目補正技術（例えば、特許文献１参照）が知られている。
【０００４】
【特許文献１】特開２０００−１３６８０号公報
【発明の開示】
【発明が解決しようとする課題】
【０００５】
しかし、前述した赤目補正技術は、赤目の領域を抜き出し、前記領域の彩度を下げるまたは赤以外の任意の別な色に置き換えることにより赤目を目立たなくする技術であり、被写体である人または動物の保持している目の色を補正によって再現することはできないという問題点があった。
【０００６】
本発明は前述の問題点にかんがみ、ストロボ撮影の結果、赤目現象が生じている画像を補正によって、撮影した人または動物本来の目の色を再現できるようにすることを目的とする。
【課題を解決するための手段】
【０００７】
本発明の撮像装置は、撮影された被写体の光学像から画像信号を生成する撮像手段を有する撮像装置であって、前記撮像手段によって生成された画像信号から前記被写体の目の色を含む情報と撮像データとを取得する情報取得手段と、前記情報取得手段によって取得された被写体の目の色を含む情報と撮像データとをデジタル変換する変換手段と、前記変換手段によって変換された被写体の目の色を含む情報を用いて、前記撮像データを赤目補正する赤目補正手段とを有することを特徴とする。
【０００８】
本発明のプリンタ装置は、画像データをプリント用データに変換し、前記プリント用データを記録用紙にプリント出力するプリンタ装置であって、前記画像データとなる被写体の目の色を含む情報と前記被写体が撮像された撮像データとを前記被写体を撮像した撮像装置から入力する画像データ入力手段と、前記画像データ入力手段によって入力された被写体の目の色を含む情報を用いて前記撮像データを赤目補正する赤目補正手段とを有することを特徴とする。
【０００９】
本発明のプリントシステムは、前記に記載の撮像装置と、前記に記載のプリンタ装置とを有することを特徴とする。
【００１０】
本発明の撮像装置の制御方法は、撮影された被写体の光学像から画像信号を生成する撮像工程を有する撮像装置の制御方法であって、前記撮像工程によって生成された画像信号から前記被写体の目の色を含む情報と撮像データを取得する情報取得工程と、前記情報取得工程によって取得された被写体の目の色を含む情報と撮像データとをデジタル変換する変換工程と、前記変換工程によって変換された被写体の目の色を含む情報を用いて前記撮像データを赤目補正する赤目補正工程とを有することを特徴とする。
【００１１】
本発明のプリンタ装置の制御方法は、画像データをプリント用データに変換し、前記プリント用データを記録用紙にプリント出力するプリンタ装置の制御方法であって、前記画像データとなる被写体の目の色を含む情報と前記被写体が撮像された撮像データとを前記被写体を撮像した撮像装置から入力する画像データ入力工程と、前記画像データ入力工程によって入力された被写体の目の色を含む情報を用いて前記撮像データを赤目補正する赤目補正工程とを有することを特徴とする。
【００１２】
本発明のコンピュータプログラムは、撮影された被写体の光学像から画像信号を生成する撮像工程を有する撮像装置の制御方法をコンピュータに実行させるプログラムであって、前記撮像工程によって生成された画像信号から前記被写体の目の色を含む情報と撮像データとを取得する情報取得工程と、前記情報取得工程によって取得された被写体の目の色を含む情報と撮像データとをデジタル変換する変換工程と、前記変換工程によって変換された被写体の目の色を含む情報を用いて前記撮像データを赤目補正する赤目補正工程とを有する撮像装置の制御方法をコンピュータに実行させることを特徴とする。
本発明のコンピュータプログラムの他の特徴とするところは、画像データをプリント用データに変換し、前記プリント用データを記録用紙にプリント出力するプリンタ装置の制御方法をコンピュータに実行させるプログラムであって、前記画像データとなる被写体の目の色を含む情報と前記被写体が撮像された撮像データとを前記被写体を撮像した撮像装置から入力する画像データ入力工程と、前記画像データ入力工程によって入力された被写体の目の色を含む情報を用いて前記撮像データを赤目補正する赤目補正工程とを有するプリンタ装置の制御方法をコンピュータに実行させることを特徴とする。
【００１３】
本発明記録媒体は、前記に記載のコンピュータプログラムを記録したことを特徴とする。
【発明の効果】
【００１４】
本発明によれば、被写体の目の色を含む情報を取得し、印刷したい画像データに赤目現象が生じていた場合に、前記情報を用いて赤目を補正するようにしたので、撮影した人または動物本来の目の色を再現することができる。これにより、撮影した画像をより自然に近い目の色で印刷することができる。
【発明を実施するための最良の形態】
【００１５】
（第１の実施の形態）
以下、図面に従って本発明であるプリントシステムを実施するための最良の形態について説明する。
図１は、本発明の実施の形態におけるプリントシステムの構成例を示す図である。
図１において、本実施の形態ではデジタルカメラ１で撮影した画像及び撮影後にメモリ媒体に保存した画像をＪＰＥＧファイルのまま専用ケーブル２経由でインクジェットプリンタ（プリンタ装置）３に送り出し、プリンタ装置３内でＪＰＥＧファイルの伸長、リサイズ、プリントデータを作成するための画像処理等を行い、カラープリントする例を示している。
【００１６】
ユーザは撮影時に、シャッタースイッチ７を用い、必要に応じてストロボ部６を発光させて撮影を行うことができる。シャッタースイッチ７は、半押し状態と全押し状態の２つの状態を有し、それぞれに応じて第１指示信号及び第２指示信号をストロボ部６に対して出力する。
【００１７】
ストロボ部６は、第１指示信号または第２指示信号のそれぞれに応じてストロボ光を発光する。ストロボ光を発光する時は、予備発光が行われた時より予め定められた時間が経過した後に、本発光としてのストロボ光を発光するのが好ましい。また、予備発光及び本発光としてそれぞれ異なる光量のストロボ光を発光するようにしてもよい。
【００１８】
さらに、赤目軽減モードを設定した場合は、撮像時に予備発光として赤目が生じない程度の光量のストロボ光を発光するようにしてもよい。また、ストロボ部６を予備発光として発光させ、本発光として別の手段による発光、例えばＬＥＤを用いて発光させるようにしてもよい。
【００１９】
図２は、本実施の形態のデジタルカメラ１における液晶画面と操作部材の一例を示す図である。
図２において、ユーザは印刷する時に、デジタルカメラ１の操作部材４を操作してプリントパターン、プリントしたい画像、プリント指定枠等を選択し、デジタルカメラ１の液晶画面（ＬＣＤ）５を見ながらそれらの設定内容を確認することが可能である。
【００２０】
図３は、本実施の形態におけるデジタルカメラ１の内部構成の一例を示す図である。
図３において、３０はレンズを通して結像された画像を電気信号に変換するためのＣＣＤであり、３１はデジタルカメラ１を制御、演算処理を司るＣＰＵである。
【００２１】
３２はＣＣＤ３１から送られてきた電気信号を処理する画像処理エンジンである。本実施の形態においては、電子像信号をデジタル信号に変換するとともに、所定の画像圧縮フォーマットで圧縮する機能を有している。３３はデジタルカメラ１を制御するためのプログラムを格納しておくためのFlash ROMである。３４は、画像データを一時的に保存したり、データ処理作業に使用したりするためのＳＤＲＡＭであり、３５は画像データファイルを保存しておくための記録媒体であるＣＦ（Compact Flash memory）である。
【００２２】
３６はＣＦ３５をデジタルカメラ１に装着するためのＣＦコネクターであり、３７はデジタルカメラ１で撮影した画像を表示したり、デジタルカメラ１を操作したりするメニューを表示するためのＬＣＤである。また、ＬＣＤ３７は図１におけるＬＣＤ５に相当する。３８は、そのＬＣＤ３７を駆動するＬＣＤドライバーである。
【００２３】
図４は、本実施の形態で使用するプリンタ装置３の内部構成の一例を示す図である。
図４において、４０１はデジタルカメラ１から受信した画像データを解釈し、印字制御をコントロールするＣＰＵであり、４０２は画像データの一時保管を行うためのＲＡＭである。
【００２４】
４０３は画像データの一時保管や、ＣＰＵ４０１の判断によりＲＡＭ４０２の代わりに用いられる補助記憶装置（具体的にはハードディスク、ＣＤ−ＲＯＭ等）であり、４０４はタッチパネル等の画像表示装置で、プリンタ装置３の状態や、エラーメッセージ等を表示する。
【００２５】
４０５は、ユーザコマンド入力装置（タッチパネル等）であり、プリント部数の指定や、拡大指定、印刷キャンセルをユーザが手動で行うためのものである。なお、画像表示装置４０４、ユーザコマンド入力装置４０５を単一のＵＩ（User Interface）として用いることも可能である。４０６は伝送路４２０を介して、デジタルカメラ１から画像データを受け取るためのインターフェース（Ｉ／Ｆ）で、本実施の形態では、伝送路４２０は図１における専用ケーブル２に相当する。
【００２６】
４０７は、デジタルカメラ１から受信した画像データを実際に用紙に出力するための印字制御装置であり、４０８は画像データを読み取って、カラーのイメージデータを出力する画像読み取り部である。また、４０９はメインバスであり、４１０は画像処理エンジンである。
【００２７】
画像処理エンジン４１０は、デジタルカメラ１の画像処理エンジン３２において圧縮された画像データを伸張して印刷データを作成し、記録用紙（図示せず）にプリント出力可能な印刷データを生成する機能を有している。
【００２８】
次に、前記のごとく構成されたデジタルカメラ１及びプリンタ装置３からなるプリントシステムの動作について図５〜８を用いて説明する。
図５は、本実施の形態の撮影時（ａ）における撮影処理と、印刷時（ｂ）における赤目補正処理の一例を示す図である。
【００２９】
図５（ａ）において、デジタルカメラ１で撮影を行う場合、デジタルカメラ１はユーザによってシャッタースイッチ７が半押しにされた時（処理Ａ１）にストロボ６の予備発光を行い（処理Ａ２）、同時にそのときの画像を撮影し（処理Ａ３）、予備イメージＡとして保存する。この際に保存する画像は、ＣＣＤ３０がDraftモードの際に撮影された画像イメージであると、画像サイズも小さくなり処理全体の効率が上がる。
【００３０】
その後、ユーザがシャッターを全押しすると（処理Ａ４）、ストロボ６はフラッシュの本発光を行い（処理Ａ５）、同時にそのときの画像の本イメージＢを撮影する（処理Ａ６）。このような手順で図６に示すように、前記の予備イメージＡと本イメージＢのこれら２つのイメージを関連付けてデジタルカメラ１内の記録媒体に保存する（処理Ａ７）。
【００３１】
この予備イメージＡを保存する理由としては、後述する赤目補正処理を行う際に、撮影時の目の色を再現する時にこの予備イメージＡを利用するからである。すなわち、図７に示すように、予備イメージＡの目の付近を、赤目状態の本イメージＢ上に置換することによって赤目補正した補正イメージＣを印刷するのである。
【００３２】
次に、図５（ｂ）のシーケンスに従って印刷を行う処理手順を説明する。
プリンタ装置３とデジタルカメラ１を接続してプリンタ装置３で印刷を行う際に、ユーザは、前記デジタルカメラ１のＬＣＤ５に表示された画像の一覧から所望の画像を選択する（処理Ａ８）。デジタルカメラ１はユーザにより選択された本イメージＢをＬＣＤ５に表示する（処理Ａ９）。図８において、８１はその選択した本イメージＢを確認する確認画面を示している。
【００３３】
処理Ａ９においてＬＣＤ５に表示された本イメージＢに赤目が生じていた場合は、ユーザは、前記ＬＣＤ５と前記操作部材４を用いて赤目補正モードを選択する（処理Ａ１０）。ユーザにより赤目補正モードが選択されると、デジタルカメラ１側では、まず予備イメージＡを表示させる（処理Ａ１１）。次に、ユーザは前記操作部材４を用いて目の周辺領域を指定する（処理Ａ１２）。図８において、８２は予備イメージＡにおける目の周辺領域（白抜きの４角形で示している）を指定した確認画面を示している。
【００３４】
その後、デジタルカメラ１側では本イメージＢを表示させる（処理Ａ１３）。ユーザは同様に前記操作部材４で赤目周辺領域を指定する（処理Ａ１４）。図８において、８３は本イメージＢにおける目の周辺領域（白抜きの４角形で示している）を指定した確認画面を示している。
【００３５】
前記の処理を終了した後に、デジタルカメラ１内で予備イメージＡと本イメージＢとを比較する（処理Ａ１５）。その結果、本イメージＢの赤目領域を抽出して（処理Ａ１６）、その指定した赤目領域の補正を行う（処理Ａ１７）。つまり、予備イメージＡで取得した目の色が使用され、前記本イメージＢの赤目領域を前記予備イメージＡの目の色で置換することによって補正が行われる。その後、補正イメージＣとして記録媒体に保存する（処理Ａ１８）。
【００３６】
ユーザが所定の画像を印刷したい場合は、まずその印刷したい補正イメージＣをＬＣＤ５に表示させる（処理Ａ１９）。図８において、８４は補正が行われた補正イメージＣの確認画面を示している。次に、ユーザ側が印刷条件の設定を行う（処理Ａ２０）。ユーザは、印刷条件の設定後、印刷の指示を行う（処理Ａ２１）。
【００３７】
なお、印刷条件の設定と印刷の指示をプリンタ装置３側で行うようにしてもよい。その場合は、処理Ａ２０と処理Ａ２１については、デジタルカメラ１に対してではなく、プリンタ装置３に対して行うことになる。
【００３８】
図９は、本実施の形態における印刷処理手順の一例を示す図である。
図９において、デジタルカメラ１はプリンタ装置３へ前記補正イメージＣを送信し、補正イメージＣを印刷するように要求を行う（処理Ａ２２）。プリンタ装置３は、印刷要求と同時に前記補正イメージＣをデジタルカメラ１から受信する（処理Ａ２３）。
【００３９】
次に、デジタルカメラ１で設定された条件に従って、ＪＰＥＧファイルの伸長やリサイズ等を画像処理エンジン４１０により行い、前記補正イメージＣをプリント用データに変換する（処理Ａ２４）。そして、変換されたプリント用データを記録用紙（図示せず）にプリントアウトする（処理Ａ２５）。
【００４０】
なお、印刷条件の設定と印刷の指示をプリンタ装置３で行うようにしている場合は、処理Ａ２２の代わりに、プリンタ装置３からデジタルカメラ１に補正イメージＣの送信を要求する処理を行うことになる。
【００４１】
（第２の実施の形態）
第１の実施の形態では、デジタルカメラ１で赤目補正を行い、その補正された画像をプリンタ装置３でプリントした例について説明したが、本実施の形態として、前記赤目補正機能をプリンタ装置３に持たせることも可能である。その場合、予備イメージＡと本イメージＢとをプリンタ装置３に送信することによって、同様に補正が可能である。
【００４２】
また、デジタルカメラ１側で、予備イメージＡで目を含む領域を指定して目の色情報を取得し、本イメージＢで赤目領域を予め指定し、本イメージＢをプリンタ装置３に送る際に、本イメージＢのヘッダ部などに予備イメージＡから取得した目の色情報を付帯させて送るようにしても良い。プリンタ装置３は、本イメージＢのデータヘッダから目の色情報が入っているかを確認し、入っている場合には自動的に処理Ａ１７の置換処理を行い、印刷する。これにより、予備イメージＡ全体を送るよりも目の色情報だけを本イメージＢとともに送るため、プリンタ装置３に送るデータ量が削減出来、処理が高速化される。
【００４３】
プリンタ装置３で赤目補正を行う場合は、予備イメージＡと本イメージＢとをプリンタ装置３に送信した後、図５（ｂ）の処理Ａ８〜処理Ａ２１の工程において、ユーザ側からプリンタ装置３側に直接指示することによって、同様に赤目補正処理が可能となる。
【００４４】
（本発明に係る他の実施の形態）
前述した本発明の実施の形態における撮像装置及びプリンタ装置を構成する各手段、並びに撮像装置の制御方法、プリンタ装置の制御方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００４５】
また、本発明は、例えば、システム、装置、方法、プログラムもしくは記録媒体等としての実施の形態も可能であり、具体的には、複数の機器から構成されるシステムに適用してもよいし、また、一つの機器からなる装置に適用してもよい。
【００４６】
なお、本発明は、前述した実施の形態の機能を実現するソフトウェアのプログラム（実施の形態では図５、９に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００４７】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４８】
その場合、プログラムの機能を有していれば、オブジェクトコード、インタプリタにより実行されるプログラム、ＯＳに供給するスクリプトデータ等の形態であってもよい。
【００４９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００５０】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００５１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５２】
また、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５３】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００５４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００５５】
【図１】本発明の第１の実施の形態におけるプリントシステムの構成例を示す図である。
【図２】本発明の第１の実施の形態におけるデジタルカメラの液晶画面と操作部材の一例を示す図である。
【図３】本発明の第１の実施の形態におけるデジタルカメラの内部構成の一例例を示す図である。
【図４】本発明の第１の実施の形態におけるプリンタ装置の内部構成の一例を示す図である。
【図５】本発明の第１の実施の形態における（ａ）撮影時、（ｂ）印刷時の赤目を補正する処理のシーケンスの一例を示す図である。
【図６】本発明の第１の実施の形態における撮像時のフラッシュのタイミングの一例を示す図である。
【図７】本発明の第１の実施の形態における印刷時の赤目補正処理の一例を示す図である。
【図８】本発明の第１の実施の形態におけるユーザが瞳の色を補正する画面の一例を示す図である。
【図９】本発明の第１の実施の形態における印刷処理のシーケンスの一例を示す図である。
【符号の説明】
【００５６】
１  デジタルカメラ
２  専用ケーブル
３  インクジェットプリンタ（プリンタ装置）
４  カメラの操作部材
５  液晶画面（ＬＣＤ）
６  ストロボ
７  シャッタースイッチ
３０  ＣＣＤ
３１  ＣＰＵ
３２  画像処理エンジン
３３  Flash ROM
３４  ＳＤＲＡＭ
３５  コンパクトフラッシュ（登録商標）メモリ
３６  ＣＦコネクター
３７  ＬＣＤ
３８  ＬＣＤドライバー
【図１】
2006332879.tif 000003
【図２】
2006332879.tif 000004
【図３】
2006332879.tif 000005
【図４】
2006332879.tif 000006
【図５】
2006332879.tif 000007
【図６】
2006332879.tif 000008
【図７】
2006332879.tif 000009
【図８】
2006332879.tif 000010
【図９】
2006332879.tif 000011